(57)【特許請求の範囲】
【請求項１】
開口が形成された側面板および収納空間を形成するために前記側面板に連結される底板を含むブロック胴体と；
前記底板を貫通し、前記ブロック胴体の内部および外部を連結する中空が形成された少なくとも一つのオーバーフロー管と；
前記ブロック胴体の上部に形成され、流体を前記収納空間に提供する貫通ホールが形成された水受け胴体と；
前記水受け胴体を前記底板に支持するために、前記貫通ホールと連通し、前記水受け胴体に結合される配管と；を含み、
前記配管は、前記貫通ホールと連通する中空が形成され、前記底板と接触する前記配管の端部には、切欠部および前記配管の前記中空と連通するホールのうちいずれか一つが形成されることを特徴とする水耕栽培ブロック。
【請求項２】
前記水受け胴体は、前記ブロック胴体の内部に組立または分解されることを特徴とする請求項１に記載の水耕栽培ブロック。
【請求項３】
前記オーバーフロー管は、
前記底板に第１方向に沿って複数個が２列に配置された第１オーバーフロー管と；
前記底板に前記第１方向と交差する第２方向に沿って複数個が２列に配置された第２オーバーフロー管と；
を含むことを特徴とする請求項１に記載の水耕栽培ブロック。
【請求項４】
前記オーバーフロー管のうち前記収納空間に配置されたオーバーフロー管の上端は、前記側面板に形成された前記開口の下端よりも高い位置に配置され、
前記オーバーフロー管には、それぞれ前記開口の前記下端よりも低い位置に形成され、前記オーバーフロー管に水が容易に流入するように、斜線形状またはＶ字形状に切欠された一対の切欠部が形成されることを特徴とする請求項３に記載の水耕栽培ブロック。
【請求項５】
前記水受け胴体は、
前記貫通ホールが形成された水受け底板と；
前記水受け底板に形成され、前記水受け底板の上部に収納空間を形成する水受け側面板と；を含むことを特徴とする請求項１に記載の水耕栽培ブロック。
【請求項６】
前記オーバーフロー管は、複数個が前記底板の中央部分にマトリックス形態に配置され、
前記水受け底板は、帯形状に前記中央部分に配置された前記オーバーフロー管を露出する開口を有することを特徴とする請求項５に記載の水耕栽培ブロック。
【請求項７】
前記オーバーフロー管は、複数個が前記底板に十字形状に配置され、
前記水受け底板は、前記オーバーフロー管を覆って、複数個の開口が形成されることを特徴とする請求項５に記載の水耕栽培ブロック。
【請求項８】
前記水受け胴体は、前記底板と対向するように配置されたプレート形状を有する水受け底板；を含み、
前記水受け底板の側面は、前記側面板の内側面と接触することを特徴とする請求項１に記載の水耕栽培ブロック。
【請求項９】
前記底板の外側面から突出した複数個の結合突起；
をさらに含むことを特徴とする請求項１に記載の水耕栽培ブロック。
【請求項１０】
前記オーバーフロー管の間に挿入され、前記収納空間に収納された植物の根の部分を押圧し、前記植物の離脱を防止する離脱防止板；
をさらに含むことを特徴とする請求項１に記載の水耕栽培ブロック。
【請求項１１】
前記側面板に形成された前記開口の少なくとも一側には、貫通ホールが形成されることを特徴とする請求項１に記載の水耕栽培ブロック。
【請求項１２】
前記開口の両側に一対が形成された前記貫通ホールを連結する連結ロープ；
をさらに含むことを特徴とする請求項１１に記載の水耕栽培ブロック。
【請求項１３】
前記ブロック胴体は、正六面体形状および直六面体形状のうちいずれか一つで形成されることを特徴とする請求項１に記載の水耕栽培ブロック。
【請求項１４】
前記オーバーフロー管のうちいずれか一つに挿入され、前記オーバーフロー管を塞ぐ閉鎖部と、前記閉鎖部の上端に形成されたヘッドとを含むオーバーフロー管栓；
をさらに含むことを特徴とする請求項１に記載の水耕栽培ブロック。
【請求項１５】
前記オーバーフロー管は、
前記ブロック胴体の前記底板を貫通し、中空が形成された第１オーバーフローユニットと；
前記第１オーバーフローユニットに組み立てられる第２オーバーフローユニットと；
を含むことを特徴とする請求項１に記載の水耕栽培ブロック。
【請求項１６】
前記配管は、
前記貫通ホールと対応する前記水受け胴体の下面に結合される第１配管と；
前記第１配管に組み立てられた第２配管と；
を含むことを特徴とする請求項１に記載の水耕栽培ブロック。
【請求項１７】
開口が形成された側面板および収納空間を形成するために前記側面板に連結される底板を含むブロック胴体と、前記底板を貫通し、前記ブロック胴体の内部および外部を連結する中空が形成された少なくとも一つのオーバーフロー管と、前記ブロック胴体の上部に形成され、流体を前記収納空間に提供する貫通ホールが形成された水受け胴体と、前記水受け胴体を前記底板に支持するために、前記貫通ホールと連通し、前記水受け胴体に結合される配管とを含み、前記配管は、前記貫通ホールと連通する中空が形成され、前記底板と接触する前記配管の端部には、切欠部および前記配管の前記中空と連通するホールのうちいずれか一つが形成された複数個が積層されて構成される水耕栽培ブロックと；
前記水耕栽培ブロックのうち最下段に配置され、流体が貯蔵される水槽と；
前記水槽の前記流体をポンピングするポンプと、前記ポンプに連結され、前記ポンプからポンピングされた前記流体を前記水耕栽培ブロックのうち最上段に配置された水耕栽培ブロックに提供するホースとを含む循環ユニットと；を含むことを特徴とする水耕栽培装置。
【請求項１８】
前記水耕栽培ブロックの間に介在し、底板に前記オーバーフロー管が形成された魚類を生育できる水槽をさらに含むことを特徴とする請求項１７に記載の水耕栽培装置。
【発明の詳細な説明】
【技術分野】
【０００１】
本発明は、水耕栽培ブロックに関し、より詳細には、多段で積層可能で、アートウォールとして使用することができ、多段で積層された各ブロックに異なる植物を栽培できる水耕栽培ブロックおよびこれを備えた水耕栽培装置に関する。
【背景技術】
【０００２】
一般的に、水耕栽培（ｗａｔｅｒ  ｃｕｌｔｕｒｅ）は、土のような土壌を使用せずに、水と水溶性栄養分を含む培養液の中で植物を育てる栽培方法を意味する。
【０００３】
水耕栽培は、培養液が収納された容器内で水耕栽培に適した植物を生育するため、植物の成長過程、植物の根の状態などを観察しやすく、家で容易に且つ青々しく植物を栽培できる長所を有する。
【０００４】
水耕栽培のための先行技術としては、韓国特許登録第１０−０２５０１６０号の観賞魚用水槽を利用した水耕栽培および浄化装置が挙げられる。
【０００５】
観賞魚用水槽を利用した水耕栽培および浄化装置は、観賞魚用水槽の水を水中ポンプにより栽培槽に提供し、植物を水耕栽培し得るようにすると同時に、栽培槽の水をフィルターを介してさらに観賞魚用水槽に提供し、空気浄化とともに室内加湿作用が行われるようにする。
【０００６】
観賞魚用水槽を利用した水耕栽培および浄化装置は、植物支持体を用いて植物を支持し、植物の成長に伴って植物支持体を延長することによって、植物の垂れを防止することができる。
【０００７】
しかしながら、前記観賞魚用水槽を利用した水耕栽培および浄化装置は、居間または部屋の壁面を飾るためのアートウォール（ａｒｔ  ｗａｌｌ）として利用しにくく、異なる植物を層ごとに積層して独立的に生育しにくい問題点を有する。
【発明の概要】
【発明が解決しようとする課題】
【０００８】
本発明は、壁面に沿って多段で積層可能で、アートウォールとして使用するこができ、多段で積層された各ブロックに異なる植物を栽培することができ、最上層のブロックに提供された水が最下段のブロックに流れて行くことができるようにして、より容易に水耕栽培が可能な水耕栽培ブロックおよびこれを備えた水耕栽培装置を提供する。
【課題を解決するための手段】
【０００９】
本発明による水耕栽培ブロックは、開口が形成された側面板および収納空間を形成するために前記側面板に連結される底板を含むブロック胴体と、前記底板を貫通し、前記ブロック胴体の内部および外部を連結する中空が形成された少なくとも一つのオーバーフロー管と、前記ブロック胴体の上部に形成され、流体を前記収納空間に提供する貫通ホールが形成された水受け胴体と、前記水受け胴体を前記底板に支持するために、前記貫通ホールと連通し、前記水受け胴体に結合される配管とを含み、前記配管は、前記貫通ホールと連通する中空が形成され、前記底板と接触する前記配管の端部には、切欠部および前記配管の前記中空と連通するホールのうちいずれか一つが形成されることを特徴とする。
【００１０】
本発明による水耕栽培ブロックにおいて、前記水受け胴体は、前記ブロック胴体の内部に組立または分解されることを特徴とする。
【００１１】
本発明による水耕栽培ブロックにおいて、前記オーバーフロー管は、前記底板に第１方向に沿って複数個が２列に配置された第１オーバーフロー管と、前記底板に前記第１方向と交差する第２方向に沿って複数個が２列に配置された第２オーバーフロー管とを含むことを特徴とする。
【００１２】
本発明による水耕栽培ブロックにおいて、前記オーバーフロー管のうち前記収納空間に配置されたオーバーフロー管の上端は、前記側面板に形成された前記開口の下端よりも高い位置に配置され、前記オーバーフロー管には、それぞれ前記開口の前記下端よりも低い位置に形成され、前記オーバーフロー管に水が容易に流入するように斜線形状またはＶ字形状に切欠された一対の切欠部が形成されることを特徴とする。
【００１３】
本発明による水耕栽培ブロックにおいて、前記水受け胴体は、前記貫通ホールが形成された水受け底板と、前記水受け底板に形成され、前記水受け底板の上部に収納空間を形成する水受け側面板とを含むことを特徴とする。
【００１４】
本発明による水耕栽培ブロックにおいて、前記オーバーフロー管は、複数個が前記底板の中央部分にマトリックス形態に配置され、前記水受け底板は、帯形状に前記中央部分に配置された前記オーバーフロー管を露出する開口を有することを特徴とする。
【００１５】
本発明による水耕栽培ブロックにおいて、前記オーバーフロー管は、複数個が前記底板に十字形状に配置され、前記水受け底板は、前記オーバーフロー管を覆い、複数個の開口が形成されることを特徴とする。
【００１６】
本発明による水耕栽培ブロックにおいて、前記水受け胴体は、前記底板と対向するように配置されたプレート形状を有する水受け底板を含み、前記水受け底板の側面は、前記側面板の内側面と接触することを特徴とする。
【００１７】
本発明による水耕栽培ブロックにおいて、前記底板の外側面から突出した複数個の結合突起をさらに含むことを特徴とする。
【００１８】
本発明による水耕栽培ブロックにおいて、前記オーバーフロー管の間に挿入され、前記収納空間に収納された植物の根の部分を押圧し、前記植物の離脱を防止する離脱防止板をさらに含むことを特徴とする。
【００１９】
本発明による水耕栽培ブロックにおいて、前記側面板に形成された前記開口の少なくとも一側には、貫通ホールが形成されることを特徴とする。
【００２０】
本発明による水耕栽培ブロックにおいて、前記開口の両側に一対が形成された前記貫通ホールを連結する連結ロープをさらに含むことを特徴とする。
【００２１】
本発明による水耕栽培ブロックにおいて、前記ブロック胴体は、正六面体形状および直六面体形状のうちいずれか一つで形成されることを特徴とする。
【００２２】
本発明による水耕栽培ブロックにおいて、前記オーバーフロー管のうちいずれか一つに挿入され、前記オーバーフロー管を塞ぐ閉鎖部と、前記閉鎖部の上端に形成されたヘッドとを含むオーバーフロー管栓をさらに含むことを特徴とする。
【００２３】
本発明による水耕栽培ブロックにおいて、前記オーバーフロー管は、前記ブロック胴体の前記底板を貫通し、中空が形成された第１オーバーフローユニットと、前記第１オーバーフローユニットに組み立てられる第２オーバーフローユニットとを含むことを特徴とする。
【００２４】
本発明による水耕栽培ブロックにおいて、前記配管は、前記貫通ホールと対応する前記水受け胴体の下面に結合される第１配管と、前記第１配管に組み立てられた第２配管とを含むことを特徴とする。
【００２５】
本発明による水耕栽培装置は、開口が形成された側面板および収納空間を形成するために前記側面板に連結される底板を含むブロック胴体と、前記底板を貫通し、前記ブロック胴体の内部および外部を連結する中空が形成された少なくとも一つのオーバーフロー管と、前記ブロック胴体の上部に形成され、流体を前記収納空間に提供する貫通ホールが形成される水受け胴体と、前記水受け胴体を前記底板に支持するために前記貫通ホールと連通し、前記水受け胴体に結合される配管とを含み、前記配管は、前記貫通ホールと連通する中空が形成され、前記底板と接触する前記配管の端部には、切欠部および前記配管の前記中空と連通するホールのうちいずれか一つが形成された複数個が積層されて構成される水耕栽培ブロックと；前記水耕栽培ブロックのうち最下段に配置され、流体が貯蔵される水槽と、前記水槽の前記流体をポンピングするポンプと；前記ポンプに連結され、前記ポンプからポンピングされた前記流体を前記水耕栽培ブロックのうち最上段に配置された水耕栽培ブロックに提供するホースを含む循環ユニットと；を含むことを特徴とする。
【００２６】
本発明による水耕栽培装置において、前記水耕栽培ブロックの間に介在し、底板に前記オーバーフロー管が形成された魚類を生育できる水槽をさらに含むことを特徴とする。
【００２７】
本発明による水耕栽培ブロックは、開口と少なくとも一つの係止鍔が形成された側面板および収納空間を形成するために前記側面板に連結される底板を含むブロック胴体と、前記底板を貫通し、前記ブロック胴体の内部および外部を連結する中空が形成されたオーバーフロー管と、前記オーバーフロー管と重ならないように前記係止鍔の上部面に保持され、前記収納空間に収納された植物の根の部分を押圧し、前記植物の離脱を防止する離脱防止板とを含む。
【００２８】
本発明による水耕栽培ブロックにおいて、前記ブロック胴体は、前記底板の外側面から突出した複数個の結合突起が形成されることを特徴とする。
【００２９】
本発明による水耕栽培ブロックにおいて、前記オーバーフロー管は、複数個が前記底板の中央部分にマトリックス形態に配置されることを特徴とする。
【００３０】
本発明による水耕栽培ブロックにおいて、前記離脱防止板は、十字形状に形成され、マトリックス形態に配置された前記オーバーフロー管の間に位置することを特徴とする。
【００３１】
本発明による水耕栽培ブロックにおいて、前記オーバーフロー管の下部に結合され、前記ブロック胴体から前記オーバーフロー管を介して流出する流体を外部に排出する排出ホースをさらに含むことを特徴とする。
【００３２】
本発明による水耕栽培ブロックにおいて、前記オーバーフロー管は、前記ブロック胴体の前記底板を貫通し、中空が形成された第１オーバーフローユニットと、前記第１オーバーフローユニットに組み立てられる第２オーバーフローユニットとを含むことを特徴とする。
【００３３】
本発明による水耕栽培ブロックにおいて、前記オーバーフロー管の上部に結合され、前記オーバーフロー管の中空に挿入される閉鎖部および前記閉鎖部の上端に形成されたヘッドを含むオーバーフロー管栓をさらに含むことを特徴とする。
【００３４】
本発明による水耕栽培ブロックにおいて、前記側面板の一側には、少なくとも一対の貫通ホールが形成され、前記ブロック胴体は、前記一対の貫通ホールを連結する連結ロープをさらに含むことを特徴とする。
【００３５】
本発明による水耕栽培装置は、開口と少なくとも一つの係止鍔が形成された側面板および収納空間を形成するために前記側面板に連結される底板を含むブロック胴体と、前記底板を貫通し、前記ブロック胴体の内部および外部を連結する中空が形成されたオーバーフロー管と、前記オーバーフロー管と重ならないように前記係止鍔の上部面に保持され、前記収納空間に収納された植物の根の部分を押圧し、前記植物の離脱を防止する離脱防止板とを含み、複数個が積層された水耕栽培ブロックと；前記水耕栽培ブロックのうち最下段に配置され、流体が貯蔵される水槽と；前記水槽の前記流体をポンピングするポンプおよび前記ポンプに連結され、前記ポンプからポンピングされた前記流体を前記水耕栽培ブロックのうち最上段に配置された水耕栽培ブロックに提供する供給ホースを含む循環ユニントと；を含むことを特徴とする。
【発明の効果】
【００３６】
本発明による水耕栽培ブロックおよび水耕栽培装置は、水耕栽培をより容易に且つ青々して行うことができ、多段で積層可能であり、特に壁面に用いられるアートウォールまたは部屋の壁に適用するか、または、立体形状に具現することができるようにし、多段で積層された各ブロックに植物を個別的に提供できる効果を有する。
【００３７】
また、本発明による水耕栽培ブロックおよび水耕栽培装置は、上部から落下する水を受ける水受けおよび植物および水が収納されるブロック胴体を組立可能に製作し、水受けおよびブロック胴体の大量製作が容易であり、製作過程で破損を防止し、水受けおよびブロック胴体のうち一部が破損したとき、破損した部品だけを選択的に交換できるようにする効果を有する。
【００３８】
また、本発明による水耕栽培ブロックおよび水耕栽培装置は、少なくとも一つの係止鍔が形成される側面板を具備するブロック胴体と、係止鍔に保持される離脱防止板とを含み、安定的に収納空間に収納された植物の根の部分を押圧し、植物の離脱を防止することができる。
【００３９】
また、本発明による水耕栽培ブロックおよび水耕栽培装置は、オーバーフロー管の下部に結合され、ブロック胴体からオーバーフロー管を介して流出する流体を外部に排出する排出ホースを含み、多段で積層する場合、上部にある水耕栽培ブロックから流出する流体を、下部にある水耕栽培ブロックのうち所望の水耕栽培ブロックに提供するか、または、近隣に設けられる他の水耕栽培装置に連結して構成することができる。
【００４０】
これにより、本発明による水耕栽培ブロックおよび水耕栽培装置は、流体の流れを所望の方向に調節し、使用しない水耕栽培ブロックを他の用途に使用することができる。
【図面の簡単な説明】
【００４１】
【図１】図１は、本発明の第１実施形態による水耕栽培ブロックの斜視図である。
【図２】図２は、図１のＡ方向の正面図である。
【図３】図３は、図１のI-I'線に沿って切断した断面図である。
【図４】図４は、図１のII-II'線に沿って切断した断面図である。
【図５】図５は、本発明の第１実施形態による水耕栽培装置を示す側面図である。
【図６】図６は、本発明の第２実施形態による水耕栽培ブロックの分解斜視図である。
【図７】図７は、図６の縦断面図である。
【図８】図８は、図６の水耕栽培ブロックの平面図である。
【図９】図９は、図６の組立式水受けの他の実施形態を示す斜視図である。
【図１０】図１０は、図６のオーバーフロー管の他の実施形態を示す分解断面図である。
【図１１】図１１は、本発明の第３実施形態による水耕栽培ブロックを示す分解斜視図である。
【図１２】図１２は、図１１の平面図である。
【図１３】図１３は、本発明の第４実施形態による水耕栽培ブロックの分解斜視図である。
【図１４】図１４は、本発明の第２実施形態による水耕栽培装置を示す側面図である。
【図１５】図１５は、本発明の第５実施形態による水耕栽培ブロックの分解斜視図である。
【図１６】図１６は、本発明の第５実施形態による水耕栽培ブロックの縦断面図である。
【図１７】図１７は、本発明の第５実施形態による水耕栽培ブロックの下部面を示す図である。
【図１８】図１８は、本発明の第６実施形態による水耕栽培ブロックの縦断面図である。
【図１９】図１９は、本発明の第３実施形態による水耕栽培装置を示す側面図である。
【図２０】図２０は、本発明の第４実施形態による水耕栽培装置を示す側面図である。
【発明を実施するための形態】
【００４２】
下記の説明では、本発明の実施形態を理解するのに必要な部分だけが説明され、その他の部分の説明は、本発明の要旨を不明にしないように省略されることを留意しなければならない。
【００４３】
以下で説明される本明細書及び請求範囲に使用された用語や単語は、通常的または辞書的な意味に限定して解釈されてはならず、発明者は、自分の発明を最も最善の方法で説明するための用語の概念として適切に定義できるという原則に基づいて、本発明の技術的思想に符合する意味と概念として解釈されなければならない。したがって、本明細書に記載された実施形態と図面に示された構成は、本発明の好ましい一実施形態に過ぎず、本発明の技術的思想をすべて代弁するものではないので、本出願時点においてこれらを代替できる多様な均等物と変形例があり得ることを理解しなければならない。
【００４４】
図１は、本発明の第１実施形態による水耕栽培ブロックの斜視図であり、図２は、図１のＡ方向の正面図であり、図３は、図１のI-I'線に沿って切断した断面図であり、図４は、図１のII-II'線に沿って切断した断面図である。
【００４５】
図１〜図４を参照すると、水耕栽培ブロック１００は、ブロック胴体１０、オーバーフロー管２０、水受け部３０および結合突起４０を含む。これに加えて、水耕栽培ブロック１００は、離脱防止板５０（図３参照）および連結ロープ６０を含むことができる。
【００４６】
ブロック胴体１０は、内部に収納空間が形成され、上面が開口された立体形状を有することができる。例えば、ブロック胴体１０は、上面が開口された六角形状または上面が開口された矩形状に形成され得る。その他、ブロック胴体１０は、上面が開口された五角形状、上面が開口された円錐台形状はもちろん、上面が開口された半球形状、上面が開口された円柱形状などで形成されてもよい。
【００４７】
ブロック胴体１０は、ブロック胴体１０の内部で生育される植物の葉、幹および根などを観察し得るように、透明な合成樹脂素材で製作され得る。これとは異なって、ブロック胴体１０は、透明性はないが、強い耐久性を有し、容易に腐食されない金属素材で製作されてもよい。
【００４８】
ブロック胴体１０は、複数個で製造された断片を相互組み立てて製作してもよく、射出工程などにより一体に製作するか、または、金属プレートをたたんで溶接して製作してもよい。
【００４９】
ブロック胴体１０は、ブロック胴体１０の内部に収納される水または培養液が漏洩しないように防水処理され得る。
【００５０】
本発明の第１実施形態で、ブロック胴体１０は、上面が開放された多数個の側面板５および底板９（図４参照）を含む六面体形状を有する。
【００５１】
例えば、ブロック胴体１０は、４個の側面板５および１個の底板９を含む。ブロック胴体１０の４個の側面板５および１個の底板９は、相互組み立てられるか、または、一体に形成され得る。
【００５２】
本発明の第１実施形態で、各側面板５には、開口１が個別的に形成され、開口１を介して植物がブロック胴体１０の内部に提供または植物の一部がブロック胴体１０の外部に排出され得る。
【００５３】
各側面板５にそれぞれ開口１を形成する場合、ブロック胴体１０の異なる方向から個別的に異なる植物をブロック胴体１０の内部に提供することができる。
【００５４】
本発明の第１実施形態で、開口１は、側面板５の上端および下端の中間部分に形成され得、開口１の下端は、ブロック胴体１０に十分な量の水または培養液が満たされるのに適した位置に形成される。
【００５５】
なお、各側面板５のうち開口１の上端の両側には、それぞれ貫通ホール２が形成され、側面板５のうち相互対向する側面板５に形成された貫通ホール２は、相互対向するように形成される。
【００５６】
側面板５に形成された開口１の両側にそれぞれ形成される貫通ホール２は、釘等を介してブロック胴体１０を壁（ｗａｌｌ）に固定できるようにするためである。
【００５７】
側面板５に形成された開口１の両側にそれぞれ形成される貫通ホール２には、連結ロープ６０結合され得る。
【００５８】
貫通ホール２を相互連結する連結ロープ６０は、開口１を横切って形成され、連結ロープ６０が開口１を横切って貫通ホール２に結合される場合、連結ロープ６０は、開口１に挿入された植物が垂れるか、開口１から離脱することを防止する。
【００５９】
本発明の第１実施形態で、ブロック胴体１０は、連結ロープ６０を電気線に変え、電気線に電球を設置することによって、審美感を向上させたり、照明として活用することができる。
【００６０】
図２および図３を参照すると、ブロック胴体１０の側面板５に連結された底板９には、オーバーフロー管２０が結合される。
【００６１】
本発明の第１実施形態で、オーバーフロー管２０は、少なくとも一つ、好ましくは複数個がブロック胴体１０の底板９を貫通して形成され得る。
【００６２】
底板９を貫通するオーバーフロー管２０は、両端が開口し、内部が空いたパイプ形状を有する。
【００６３】
オーバーフロー管２０は、底板９に複数個がマトリックス形態に配置され得る。
【００６４】
具体的にオーバーフロー管２０は、底板９の中央部分に複数個がマトリックス形態に配置され得る。
【００６５】
これとは異なって、オーバーフロー管２０は、図２および図３に示されたように、底板９の第１方向に沿って２列に形成された第１オーバーフロー管２３と、第１方向と垂直な第２方向に沿って２列に形成された第２オーバーフロー管２６とを含むことができる。
【００６６】
オーバーフロー管２０は、ブロック胴体１０に提供される水または培養液が側面板５に形成された開口１を介してブロック胴体１０の外部にオーバーフローすることを防止する。
【００６７】
オーバーフロー管２０のうちブロック胴体１０の内部に配置される上端は、図４に示されたように、側面板５に形成された開口１の下端よりは高い位置に配置され得る。このようにオーバーフロー管２０の上端が側面板５に形成された開口１の下端よりも高い位置に配置される場合、開口１を介して水または培養液があふれ出すことができる。
【００６８】
これを防止するために、オーバーフロー管２０の側面には、斜線形状またはＶ字形状の切欠部２７が形成され、切欠部２７は、ブロック胴体１０の側面板５に形成された開口１の下端よりも低い位置に形成される。
【００６９】
本発明の第１実施形態で、オーバーフロー管２０の上端の開口を介してブロック胴体１０の内部に提供された水または培養液の水位を調節する場合、オーバーフロー管２０の上端の開口が表面張力により容易に目詰まりし、側面板５の開口１を介して水または培養液があふれ出すことができるが、オーバーフロー管２０の側面に切欠部２７を形成する場合、オーバーフロー管２０の上端の開口の目詰まりと関係なく、水または培養液がオーバーフロー管２０を介してブロック胴体１０の内部から外部に排出され得る。
【００７０】
本発明の第１実施形態で、切欠部２７は、オーバーフロー管２０に一対が相互同じ高さに形成され得る。これとは異なって、切欠部２７は、オーバーフロー管２０に複数個が異なる高さに形成され得る。
【００７１】
図３を参照すると、離脱防止板５０は、プレート形状に形成され、離脱防止板５０は、オーバーフロー管２０と関連して配置され得る。
【００７２】
離脱防止板５０は、側面板５の開口１を介してブロック胴体１０の内部に提供された植物の根を押圧し、植物が側面板５の開口１を介して離脱することを防止する。
【００７３】
離脱防止板５０は、図３に示されたように、２列に形成された第１オーバーフロー管２３と２列に形成された第２オーバーフロー管２６との間の空間に挿入されるのに適した形状に形成される。
【００７４】
例えば、離脱防止板５０は、第１および第２オーバーフロー管２３、２６の間に挿入されるのに適した十字形状を有するプレート形状に形成される。
【００７５】
たとえ本発明の第１実施形態で、離脱防止板５０が第１および第２オーバーフロー管２３、２６の間に挿入されるのに適した十字形状のプレート形状であることが図示および説明されているが、これとは異なって、離脱防止板５０は、多様な形状に製作され得る。
【００７６】
特に、離脱防止板５０の一部は、第１および第２オーバーフロー管２３、２６のうち少なくとも一つに向かう方向に突出した部分が形成され、突出した部分には、第１および第２オーバーフロー管２３、２６のうちいずれか一つと結合する貫通ホールが形成されてもよい。
【００７７】
これとは異なって、離脱防止板５０は、四角プレート形状に形成され、底板９の中央部分に形成された第１および第２オーバーフロー管２３、２６に挿入される貫通ホールを含むことができる。
【００７８】
四角プレート形状を有する離脱防止板５０がオーバーフロー管２０に容易に結合および分離され得るようにするために、四角プレート形状を有する離脱防止板５０に形成された貫通ホールのうちいずれか一つの貫通ホールの直径は、オーバーフロー管２０の外周面に挿入されるほどに形成され、残りの貫通ホール５２の直径は、オーバーフロー管２０の直径よりも多少大きく形成される。
【００７９】
このように離脱防止板５０に形成された貫通ホールのサイズを異ならしめて形成することによって、離脱防止板５０をより容易に結合および分離することができる。
【００８０】
本発明の第１実施形態による水耕栽培ブロック１００は、一つの水耕栽培ブロックを利用してもよいが、本発明では、多数個の水耕栽培ブロック１００を積層するのに適した構造を有する。
【００８１】
このように多数個の水耕栽培ブロック１００を積層するためには、積層された水耕栽培ブロック１００を相互堅固に連結できる技術および上部に配置された水耕栽培ブロック１００に水または培養液を提供したとき、水または培養液が下部に配置された水耕栽培ブロック１００に落下しながら騒音が発生することを防止する技術を必要とする。
【００８２】
本発明の第１実施形態で、積層された水耕栽培ブロック１００のうち上部に配置された水耕栽培ブロック１００に水または培養液を提供したとき、水または培養液が下部に配置された水耕栽培ブロック１００に落下しながら騒音が発生することを防止するために、水耕栽培ブロック１００は、図１および図２に示されたように、水受け部３０を含む。
【００８３】
水受け部３０は、側面板５に水受け形状に形成され、水受け部３０は、オーバーフロー管２０を介して排出された水または培養液を受けて、ブロック胴体１０の内部に提供する役目をする。
【００８４】
水受け部３０は、トレンチ形状に形成され、水受け部３０を形成するために、水受け部３０は、水受け底板３２および水受け側面板３４を含む。
【００８５】
水受け底板３２は、プレート形状に形成され、水受け底板３２は、各オーバーフロー管２０を覆う。
【００８６】
水受け側面板３４は、水受け底板３２の上面に水受け底板３２と垂直に結合される。本発明の第１実施形態で、水受け側面板３４は、水受け底板３２に四角枠形状に配置され、水受け側面板３４と側面板５との間には、後述する結合突起またはオーバーフロー管２０が挿入されるのに適した空間が形成される。
【００８７】
水受け側面板３４および水受け底板３２により形成された空間には、一定体積の水または培養液が収納され、水受け底板３２および水受け側面板３４を含む水受け部３０に提供された水または培養液は、水受け部３０の下部に形成されたブロック胴体１０の内部に提供される。
【００８８】
これを具現するために、水受け部３０の水受け底板３２には、貫通ホール３３が形成され、貫通ホール３３と対応する水受け底板３２の下面には、水配管３５が形成される。水配管３５は、パイプ形状に形成され、水配管３５の下端は、側面板５に形成された開口１の下端よりも下部に配置される。
【００８９】
したがって、水受け部３０に水または培養液が提供されると、水または培養液は、水受け底板３２に形成された貫通ホール３３を介して水配管３５に提供された後、ブロック胴体１０の内部に提供される。
【００９０】
本発明の第１実施形態で、複数個の水耕栽培ブロック１００が積層された状態で相対的に上部に配置された水耕栽培ブロック１００の底板９の外側面から突出したオーバーフロー管２０は、相対的に下部に配置された水耕栽培ブロック１００の水受け部３０と対応する位置に配置される。
【００９１】
したがって、積層された水耕栽培ブロック１００のうち相対的に上部に配置された水耕栽培ブロック１００に水または培養液が提供される場合、上部に配置された水耕栽培ブロック１００のオーバーフロー管２０から排出された水または培養液は、相対的に下部に配置された水耕栽培ブロック１００の水受け部３０に提供された後、水配管３５を介してブロック胴体１０の内部に提供されるため、水または培養液が落下しながら発生する騒音を抑制または防止することができる。
【００９２】
なお、複数個の水耕栽培ブロック１００を相互積層した状態で相対的に上部に配置された水耕栽培ブロック１００および相対的に下部に配置された水耕栽培ブロック１００が相互離脱することを防止するために、ブロック胴体１０の底板９の外側面には、複数個の結合突起４０が形成される。
【００９３】
本発明の第１実施形態で、複数個の結合突起４０は、ブロック胴体１０の底板９と一体に形成されるか、または、接着剤などによりブロック胴体１０の底板９に付着することができる。
【００９４】
結合突起４０は、例えば、柱形状に形成され得、本発明の第１実施形態で、結合突起４０は、円柱形状に形成され得る。たとえ本発明の第１実施形態で、結合突起４０が円柱形状であることが図示および説明されているが、これとは異なって、結合突起４０は、四角形状または多角形状など多様な形状に形成されてもよい。
【００９５】
底板９の外側面に形成される結合突起４０は、例えば、水受け部３０と対応する位置に形成される。結合突起４０は、例えば、底板９の外側面のエッジ部にそれぞれ形成されるか、または、底板９の外周縁について断続的に複数個が形成され得る。
【００９６】
なお、本発明の第１実施形態による水耕栽培ブロック１００を積層して形成するとき、上部に配置された水耕栽培ブロック１００の下部には、水耕栽培ブロック１００が配置されなくてもよいが、この場合、上部に配置された水耕栽培ブロック１００のオーバーフロー管２０により落下した水または培養液が地面に落ちて、地面を汚染させることができる。
【００９７】
これを防止するために、下部に水耕栽培ブロック１００が配置されていない場合、上部に配置された水耕栽培ブロック１００のオーバーフロー管２０には、図４に示されたように、オーバーフロー管を塞ぐオーバーフロー管栓９０を含むことができ、オーバーフロー管栓９０は、オーバーフロー管２０の中空に挿入される棒形状の閉鎖部９２と、閉鎖部９２をオーバーフロー管２０の中空に挿入または分離するためのヘッド９４とを含む。
【００９８】
図５は、本発明の第１実施形態による水耕栽培装置を示す側面図である。
【００９９】
図５を参照すると、水耕栽培装置９００は、水耕栽培ユニット１００ａ、水槽７６０および循環ユニット７３０を含む。
【０１００】
本発明の第１実施形態による水耕栽培ユニット１００ａは、複数個が積層された水耕栽培ブロック１００を含む。図５に示された水耕栽培ブロック１００は、図１〜図４に図示および設置された水耕栽培ブロック１００と実質的に同じ構成を有する。したがって、同じ構成に対する重複した説明は省略することにし、同じ構成については、同じ名称および同じ参照符号を付与することにする。
【０１０１】
水耕栽培ユニット１００ａは、複数個の水耕栽培ブロック１００が積層されて形成され、水耕栽培ブロック１００のうち上部に配置された水耕栽培ブロック１００のオーバーフロー管２０は、下部に配置された水耕栽培ブロック１００の水受け部３０に対応する部分に配置され、水耕栽培ブロック１００は、それぞれ突起４０および底板９の下部に突出したオーバーフロー管２０により相互結合される。
【０１０２】
水槽７６０は、水耕栽培ユニット１００ａの最下段に配置され、水槽７６０は、水耕栽培ユニット１００ａの水耕栽培ブロック１００に提供される水または培養液のような流体を貯蔵する役目をする。
【０１０３】
循環ユニット７３０は、ポンプ７４０およびホース７５０を含む。
【０１０４】
ポンプ７４０は、水槽７６０の内部または水槽７６０の外部に配置され得、ポンプ７４０は、水槽７６０内部の水または培養液をポンピングする。
【０１０５】
水槽７６０の内部からポンピングされた水または培養液は、ポンプ７４０と連結されたホース７５０を介して水耕栽培ユニット１００ａを構成する水耕栽培ブロック１００のうち最上段に配置された水耕栽培ブロック１００に提供された後、最上段の水耕栽培ブロック１００から下部に順次に供給される。
【０１０６】
以上、詳細に説明したように、本発明によると、水耕栽培をより容易に且つ青々しく行うことができ、多段で積層可能であり、特に壁面に利用されるアートウォールまたは部屋の壁に適用されるか、または、立体形状に具現され得るようにし、多段で積層された各ブロックに植物を個別的に提供できる効果を有する。
【０１０７】
以下、本発明の第２実施形態による水耕栽培ブロックについて説明する。
【０１０８】
図６は、本発明の第２実施形態による水耕栽培ブロックの分解斜視図であり、図７は、図６の縦断面図であり、図８は、図６の水耕栽培ブロックの平面図である。
【０１０９】
図６〜図８を参照すると、水耕栽培ブロック５００は、ブロック胴体２００、オーバーフロー管３００および組立式水受け４００を含む。
【０１１０】
本発明の第２実施形態で、ブロック胴体２００および組立式水受け４００は、相互組立および分解が可能に構成される。
【０１１１】
ブロック胴体２００は、内部に収納空間が形成され、上面が開口された立体形状に製作され得る。
【０１１２】
例えば、ブロック胴体２００は、上面が開口された正六面体形状または上面が開口された直六面体形状に形成され得る。その他、ブロック胴体２００は、上面が開口された五角形状、上面が開口された円錐台形状はもちろん、上面が開口された半球形状、上面が開口された円柱形状などに形成されてもよい。
【０１１３】
ブロック胴体２００の内部に形成された収納空間には、水または培養液で生育される水生植物が提供され得、ブロック胴体２００の内部で生育される水生植物の葉、幹および根などを観察し得るように、ブロック胴体２００は、透明な素材で製作され得る。
【０１１４】
これとは異なって、ブロック胴体２００は、透明性はないが、強い耐久性を有し、容易に腐食されない金属素材で製作されてもよい。
【０１１５】
ブロック胴体２００は、複数個で製造された断片を相互組み立てて製作してもよく、射出工程などにより一体に製作するか、または、金属プレートをたたんで溶接して製作してもよい。
【０１１６】
ブロック胴体２００は、内部に収納される水または培養液が漏洩しないように防水処理され得る。
【０１１７】
本発明の第２実施形態で、ブロック胴体２００は、上面が開放された多数個の側面板２０５および底板２０９を含む六面体形状に製作され得る。
【０１１８】
例えば、ブロック胴体２００は、４個の側面板２０５および１個の底板２０９を含む。ブロック胴体２００の４個の側面板２０５および１個の底板２０９は、相互組み立てられるか、または、一体に形成され得る。
【０１１９】
本発明の第２実施形態で、各側面板２０５には、開口２０１がそれぞれ形成され、開口２０１を介して水生植物がブロック胴体２００の内部に提供または植物の一部がブロック胴体２００の外部に排出され得る。
【０１２０】
各側面板２０５にそれぞれ開口２０１を形成する場合、ブロック胴体２００の異なる方向から個別的に異なる植物をブロック胴体２００の内部に提供することができる。
【０１２１】
本発明の第２実施形態で、開口２０１は、側面板２０５の上端および下端の中間部分に形成され得、開口２０１の下端は、ブロック胴体２００に十分な量の水または培養液が満たされるのに適した位置に形成される。
【０１２２】
なお、各側面板２０５のうち開口２０１の上端の両側には、それぞれ貫通ホール２０２が形成されるが、側面板２０５のうち相互対向する側面板２０５に形成された貫通ホール２０２は、相互対向するように形成される。
【０１２３】
側面板２０５に形成された開口２０１の両側にそれぞれ形成される貫通ホール２０２は、釘等を介してブロック胴体２００を壁（ｗａｌｌ）等に固定できるようにするためである。
【０１２４】
側面板２０５に形成された開口２０１の両側にそれぞれ形成される貫通ホール２０２には、連結ロープ２０８が結合され得る。
【０１２５】
貫通ホール２０２を相互連結する連結ロープ２０８は、開口２０１を横切って形成されるが、連結ロープ２０８が開口２０１を横切って開口２０１の両側にそれぞれ配置された貫通ホール２０２に結合される場合、連結ロープ２０８は、開口２０１に挿入された水生植物が垂れるか、または、水生植物が開口２０１から離脱することを防止する。また、連結ロープ２０８は、複数個のブロック胴体２００を相互堅固に連結することができる。
【０１２６】
本発明の第２実施形態で、ブロック胴体２００は、連結ロープ２０８を電気線に変えて、電気線に電球を多数設置することによって、ブロック胴体２００の一部または全部に照明光を提供し、審美感を向上させたり、照明として活用することができる。
【０１２７】
ブロック胴体２００の側面板２０５の下端には、底板２０９が結合さ得、側面板２０５および底板２０９により、ブロック胴体２００の内部には、収納空間が形成される。
【０１２８】
本発明の第２実施形態で、ブロック胴体２００の底板２０９の外側面には、底板２０９から突出した結合突起２２０が形成され得る。
【０１２９】
結合突起２２０は、底板２０９の外周縁に沿って複数個が断続的に形成され得る。これとは異なって、結合突起２２０は、底板２０９の外周縁だけでなく、底板２０９の中央に形成されてもよい。
【０１３０】
結合突起２２０は、本発明の第２実施形態による水耕栽培ブロック５００を積層したとき、下部水耕栽培ブロック５００および上部水耕栽培ブロック５００が相互離脱することを防止する役目をする。
【０１３１】
本発明の第２実施形態で、ブロック胴体２００は、合成樹脂素材を利用する射出工程により製作することができ、これにより、ブロック胴体２００の大量生産が可能である。
【０１３２】
オーバーフロー管３００は、ブロック胴体２００の底板２０９を貫通し、形成される。
【０１３３】
オーバーフロー管３００は、少なくとも一つ、好ましくは複数個がブロック胴体２００の底板２０９を貫通して形成され得る。
【０１３４】
本発明の第２実施形態で、オーバーフロー管３００は、底板２０９に接着剤などで結合されるか、または、底板２０９に対して組立および分解可能に結合され得る。
【０１３５】
底板２０９を貫通するオーバーフロー管３００は、両端が開口され、中空のパイプ形状に形成され、オーバーフロー管３００は、例えば、硬性のパイプまたは軟性のパイプが使用され得る。
【０１３６】
オーバーフロー管３００は、底板２０９に複数個がマトリックス形態に配置され得、具体的に、オーバーフロー管３００は、底板２０９の中央部分に複数個がマトリックス形態に配置され得る。
【０１３７】
オーバーフロー管３００の一端部は、ブロック胴体２００の内部に配置され、オーバーフロー管３００の一端部と対向する他端部は、ブロック胴体２００の外部に配置される。
【０１３８】
オーバーフロー管３００は、ブロック胴体２００の内部に水または培養液が提供されるとき、水または培養液が側面板２０５に形成された開口２０１を介してブロック胴体２００の外部にオーバーフローすることを防止する。
【０１３９】
オーバーフロー管３００のうちブロック胴体２００の内部に配置される前記一端部は、図２に示されたように、側面板２０５に形成された開口２０１の下端よりも高い位置に配置され得る。
【０１４０】
このようにオーバーフロー管３００の前記一端部が側面板２０５に形成された開口２０１の下端よりも高い位置に配置される場合、開口２０１を介して水または培養液があふれ出すことができる。
【０１４１】
これを防止するために、オーバーフロー管３００の側面には、斜線形状またはＶ字形状の切欠部３１０が形成されるが、切欠部３１０は、ブロック胴体２００の側面板２０５に形成された開口２０１の下端よりも低い位置に形成される。
【０１４２】
本発明の第２実施形態で、オーバーフロー管３００の前記一端部の開口を介してブロック胴体２００の内部に提供された水または培養液の水位を調節する場合、オーバーフロー管３００の前記一端部の開口が表面張力により頻繁に目詰まりし、側面板２０５の開口２０１を介して水または培養液があふれ出すことができるが、オーバーフロー管３００の側面に切欠部３１０を形成する場合、オーバーフロー管３００の前記一端部の開口の目詰まりと関係なく、水または培養液がオーバーフロー管３００を介してブロック胴体２００の内部から外部に排出され得る。
【０１４３】
本発明の第２実施形態で、切欠部３１０は、オーバーフロー管３００に少なくとも２個が形成され得る。例えば、切欠部３１０は、一対が相互同じ高さに形成されるか、または、切欠部３１０は、オーバーフロー管３００に複数個が相互異なる高さに形成され得る。
【０１４４】
なお、ブロック胴体２００には、水生植物の一部が配置され、水生植物の一部は、ブロック胴体２００の外部に配置されるため、側面板２０５に形成された開口２０１を介して挿入された水生植物は、頻繁にブロック胴体２００から離脱することができる。
【０１４５】
これを防止するために、ブロック胴体２００の内部には、水生植物の根を押圧し、水生植物がブロック胴体２００の外部に離脱することを防止する離脱防止板３２０が配置される。
【０１４６】
本発明の第２実施形態で、離脱防止板３２０は、オーバーフロー管３００に結合され、離脱防止板３２０は、水生植物の根を押圧し、水生植物の離脱を防止する。
【０１４７】
離脱防止板３２０は、例えば、プレート形状に形成され、離脱防止板３２０には、オーバーフロー管３００が挿入される貫通ホール３２５が形成される。
【０１４８】
貫通ホール３２５の位置は、例えば、オーバーフロー管３００の位置と対応する位置に形成される。本発明の第２実施形態で、貫通ホール３２５のうちいずれか一つのサイズは、離脱防止板３２０がオーバーフロー管３００に挿入されたとき、オーバーフロー管３００の外周面に接触するサイズに形成され、残りの貫通ホール３２５のサイズは、オーバーフロー管３００のサイズよりも大きいサイズに形成される。
【０１４９】
このように離脱防止板３２０の貫通ホール３２５のサイズを形成することによって、離脱防止板３２０に形成された貫通ホール３２５がより容易にオーバーフロー管３００に挿入されるようにすると同時に、オーバーフロー管３００に挿入された離脱防止板３２０がオーバーフロー管３００から容易に離脱しないようにする。
【０１５０】
なお、本発明の第２実施形態による水耕栽培ブロック５００を積層して形成するとき、上部に配置された水耕栽培ブロック５００の下部には、水耕栽培ブロック５００が配置されなくてもよいが、この場合、上部に配置された水耕栽培ブロック５００のオーバーフロー管３００により落下した水または培養液が地面に落ちることができる。
【０１５１】
これを防止するために、下部に水耕栽培ブロック５００が配置されていない場合、上部に配置された水耕栽培ブロック５００のオーバーフロー管３００には、図６に示されたように、オーバーフロー管３００を塞ぐオーバーフロー管栓３５０を含むことができ、オーバーフロー管栓３５０は、オーバーフロー管３００の中空に挿入される棒形状の閉鎖部３５２と、閉鎖部３５２をオーバーフロー管３００の中空に挿入または分離するためのヘッド３５４とを含む。
【０１５２】
なお、組立式水受け４００は、ブロック胴体２００の内部に挿入またはブロック胴体２００の内部から分離される。すなわち、組立式水受け４００は、ブロック胴体２００に対して組立または分離され得る。
【０１５３】
図６をさらに参照すると、組立式水受け４００は、水受け胴体４１０および配管４２０を含む。本発明の第２実施形態で、組立式水受け４００は、硬性の合成樹脂素材またはフレキシブルな合成樹脂素材で製作され得る。
【０１５４】
水受け胴体４１０は、ブロック胴体２００の上部からブロック胴体２００に落下する水または培養液を収納する役目をし、水受け胴体４１０は、水受け底板４１１および水受け側面板４１３、４１４を含む。
【０１５５】
水受け底板４１１は、例えば、内部に開口が形成された四角の帯形状に形成され、水受け底板４１１の４つのエッジ部には、それぞれ貫通ホール４１２が形成される。
【０１５６】
水受け側面板４１３、４１４は、水受け底板４１１の外側面および内側面に沿ってそれぞれ水受け底板４１１に対し垂直な方向に配置される。水受け底板４１１および水受け側面板４１３、４１４により、水受け胴体４１０には、水または培養液が収納される空間が形成される。
【０１５７】
本発明の第２実施形態で、水受け底板４１１および水受け側面板４１３、４１４は、それぞれ組立または一体に形成され得る。
【０１５８】
配管４２０は、水受け胴体４１０の水受け底板４１１の下面に配置され、配管４２０は、貫通ホール４１２と連通する中空が形成されたパイプ形状を有する。
【０１５９】
本発明の第２実施形態で、配管４２０は、水受け胴体４１０に収納された水がブロック胴体２００の内部に提供されるとき、水が落下しながら騒音が発生することを防止およびブロック胴体２００の内部に落下した水がブロック胴体２００の外部に飛んでブロック胴体２００の外部を汚染させることを防止する。
【０１６０】
本発明の第２実施形態で、配管４２０の一端は、水受け底板４１１の下面に結合され、配管４２０の一端と対向する他端は、ブロック胴体２００の底板２０９の上面に接触する。
【０１６１】
配管４２０は、水受け胴体４１０に提供された水または培養液をブロック胴体２００の内部に提供する役目および水受け胴体４１０をブロック胴体２００の内部で安定的に支持する役目をする。
【０１６２】
水受け底板４１１の下面と接触する配管４２０の一端部は、水受け底板４１１と接触面積を増加させるために、平坦な形状に形成され、配管４２０のうちブロック胴体２００の底板２０９と接触する部分は、斜線方向に切欠された切欠部４２２が形成される。切欠部４２２は、配管４２０に提供された水または培養液が円滑にブロック胴体２００の内部に提供され得るようにする。
【０１６３】
たとえ本発明の一実施形態で、配管４２０のうち底板２０９と対向する部分が斜線方向に切欠された切欠部４２２が形成されることが図示および説明されているが、これとは異なって、図６に示されたように、配管４２０のうち底板２０９と対向する部分を底板２０９と平行するように形成し、配管４２０の一部に貫通ホール４２２ａを形成してもよい。
【０１６４】
水受け胴体４１０の水受け側面板４１３、４１４のうちブロック胴体２００の側面板２０５の内側面と接触する水受け側面板４１３は、高さが内側の側面板４１４よりも低いか、または、水受け胴体４１０に形成されなくてもよく、これは、ブロック胴体２００の側面板２０５が水受け側面板４１３の役目をすることができるためである。なお、水受け側面板４１３が形成されていない場合、水受け底板４１１の外側面は、ブロック胴体２００の側面板２０５の内側面と接触するように形成されるが、これは、水受け胴体４１０に収納された水または培養液がブロック胴体２００の内部に漏洩することを防止するためである。
【０１６５】
図９は、図６の組立式水受けの他の実施形態を示す斜視図であり、図１０は、図６のオーバーフロー管の他の実施形態を示す分解断面図である。本発明の第２実施形態では、組立式水受けの配管およびオーバーフロー管の結合構造を除いて、図６〜図８に示された水耕栽培ブロックと実質的に同一である。したがって、同じ構成に対する重複した説明は省略することにし、同じ構成については、同じ名称および同じ参照符号を付与することにする。
【０１６６】
図９を参照すると、組立式水受け４００は、水受け胴体４１０および配管４２０を含む。本発明の他の実施形態で、組立式水受け４００は、硬性の合成樹脂素材またはフレキシブルな合成樹脂素材で製作され得る。
【０１６７】
配管４２０は、第１配管４２５および第２配管４２７を含む。
【０１６８】
第１配管４２５は、水受け胴体４１０に形成された貫通ホール４１２と結合するパイプ形状に形成される。
【０１６９】
第２配管４２７は、第１配管４２５の外周面に嵌着する直径を有するパイプ形状に形成され、第２配管４２７の端部は、ブロック胴体２００の底板２０９に接触する。
【０１７０】
本発明の他の実施形態で、配管４２０を水受け胴体４１０に連結される第１配管４２５および第１配管４２５に結合される第２配管４２７で形成することによって、配管４２０を水受け胴体４１０に結合するのに所要される時間を大きく短縮させ、水受け胴体４１０または配管４２０のうち一部が破損する場合、破損した部分だけ選択的に分離および組立ができるようにする。
【０１７１】
図１０を参照すると、ブロック胴体２００に結合されるオーバーフロー管３００は、第１オーバーフローユニット３０２および第２オーバーフローユニット３０５を含む。本発明の他の実施形態で、第１オーバーフローユニット３０２および第２オーバーフローユニット３０５は、硬性の合成樹脂素材またはフレキシブルな合成樹脂素材で製作され得る。
【０１７２】
第１オーバーフローユニット３０２は、ブロック胴体２００の底板２０９を貫通して形成され、第１オーバーフローユニット３０２は、パイプ形状に形成される。第１オーバーフローユニット３０２の一部は、底板２０９の下面から突出し、第１オーバーフローユニット３０２の一部は、底板２０９の上面から突出する。
【０１７３】
第２オーバーフローユニット３０５は、ブロック胴体２００の内側に配置され、第２オーバーフローユニット３０５は、底板２０９の上面から突出した第１オーバーフローユニット３０２に結合するパイプ形状に形成される。
【０１７４】
本発明の他の実施形態で、第１オーバーフローユニット３０２および第２オーバーフローユニット３０５は、相互締まりばめ形態で結合され得るが、これとは異なって、第１および第２オーバーフローユニット３０２、３０５は、相互ねじ形態で結合されてもよい。
【０１７５】
本発明の他の実施形態で、第１および第２オーバーフローユニット３０２、３０５を相互分解および組立可能に形成することによって、第１および第２オーバーフローユニット３０２、３０５のうちいずれか一つが破損しても、破損した部品だけを交換することができる。
【０１７６】
なお、図１１は、本発明の第３実施形態による水耕栽培ブロックを示す分解斜視図であり、図１２は、図１１の平面図である。図１１および図１２に示された水耕栽培ブロックのブロック胴体は、図６〜図８を通じて図示および説明された水耕栽培ブロックと実質的に同じ構成を有する。したがって、同じ構成に対する重複した説明は省略することにし、同じ構成については、同じ名称および同じ参照符号を付与することにする。
【０１７７】
図１１および図１２を参照すると、水耕栽培ブロック５００は、ブロック胴体２００、オーバーフロー管３５１および組立式水受け４５０を含む。
【０１７８】
ブロック胴体２００の側面板２０５に連結された底板２０９には、オーバーフロー管３５１が結合される。
【０１７９】
本発明の第３実施形態で、オーバーフロー管３５１は、少なくとも一つ、好ましくは複数個がブロック胴体２００の底板２０９を貫通して形成され得る。
【０１８０】
オーバーフロー管３５１は、底板２０９の第１方向に沿って２列に形成された第１オーバーフロー管３６０と、第１方向に垂直な第２方向に沿って２列に形成された第２オーバーフロー管３７０とを含むことができる。
【０１８１】
第１オーバーフロー管３６０は、第１方向に沿って底板２０９の中央部分を通過し、第２オーバーフロー管３７０は、第２方向に沿って底板２０９の中央部分を通過する。
【０１８２】
第１および第２オーバーフロー管３６０、３７０は、底板２０９の中央部分で交差し、平面視で、第１および第２オーバーフロー管３６０、３７０は、それぞれ十字形状に配置される。
【０１８３】
図１２を参照すると、点線で図示された離脱防止板３９０は、プレート形状に形成され、離脱防止板３９０は、オーバーフロー管３５１と関連して配置され得る。
【０１８４】
離脱防止板３９０は、図１２に示されたように、２列に形成された第１オーバーフロー管３６０と、２列に形成された第２オーバーフロー管３７０との間の空間に挿入されるのに適した大きさおよび形状に形成される。
【０１８５】
例えば、離脱防止板３９０は、第１および第２オーバーフロー管３６０、３７０の間に挿入されるのに適した十字形状を有するプレートであってもよい。
【０１８６】
たとえ、本発明の第３実施形態で、離脱防止板３９０が第１および第２オーバーフロー管３６０、３７０の間に挿入されるのに適した十字形状のプレート形状であることが図示および説明されているが、これとは異なって、離脱防止板３９０は、多様な形状に製作され得る。
【０１８７】
組立式水受け４５０は、水受け底板４６０、水受け側面板４７０、４８０および配管４９０を含む。本発明の第３実施形態で、組立式水受け４５０は、硬性の合成樹脂素材またはフレキシブルな合成樹脂素材で製作され得る。
【０１８８】
水受け底板４６０は、例えば、プレート形状に形成され、水受け底板４６０は、ブロック胴体２００の底板２０９と対向するように配置され、水受け底板４６０は、ブロック胴体２００の内部にぴったり合うように挿入される形状およびサイズを有する。
【０１８９】
水受け底板４６０の４個のエッジには、それぞれ配管４９０と連結される貫通ホール４６２が形成され、水受け底板４６０の中央部には、複数個の開口４６４が形成される。
【０１９０】
本発明の第３実施形態で、開口４６４は、複数個がマトリックス形態に配置され得、水受け底板４６０は、オーバーフロー管３５１を覆う形態で形成される。
【０１９１】
水受け側面板４７０、４８０は、水受け底板４６０の上面に結合され、水受け底板４６０に収納空間を形成する。
【０１９２】
外側に配置される水受け側面板４７０は、水受け底板４６０の外側面に沿って形成され、残りの一つの水受け側面板４８０は、水受け底板４６０の中央部に形成された開口４６４の周囲に沿って形成され、水受け底板４６０上に収納空間が形成される。
【０１９３】
配管４９０は、組立式水受け４５０の水受け底板４６０の下面に配置され、配管４９０は、貫通ホール４６２と連通する中空が形成されたパイプ形状を有する。
【０１９４】
本発明の第３実施形態で、配管４９０の一端は、水受け底板４６０の下面に結合され、配管４９０の一端と対向する他端は、ブロック胴体２００の底板２０９の上面に接触する。
【０１９５】
配管４９０は、組立式水受け４５０に提供された水または培養液をブロック胴体２００の内部に提供する役目および組立式水受け４５０をブロック胴体２００の内部で安定的に支持する役目をする。
【０１９６】
本発明の第３実施形態で、配管４９０は、少なくとも２個に分離され、分離されたいずれか一つの配管は、水受け底板４６０に連結され、残りの一つの配管は、水受け底板４６０に連結された配管に結合され得る。
【０１９７】
図１３は、本発明の第４実施形態による水耕栽培ブロックの分解斜視図である。図１３に示された水耕栽培ブロックは、組立式水受けを除いて、図６〜図８に示された水耕栽培ブロックと実質的に同一である。したがって、同じ構成に対する重複した説明は省略することにし、同じ構成については、同じ名称および同じ参照符号を付与することにする。
【０１９８】
図６および図１３を参照すると、水耕栽培ブロック５００は、ブロック胴体２００（図６参照）、オーバーフロー管３００（図６参照）および組立式水受け４９１を含む。
【０１９９】
組立式水受け４９１は、貫通ホール４９３を有する水受け底板４９２、水受け側面板４９４および配管４９６を含む。本発明の第４実施形態で、組立式水受け４９１は、硬性の合成樹脂素材またはフレキシブルな合成樹脂素材で製作され得る。
【０２００】
水受け底板４９２は、単に貫通ホール２９３だけが形成されたプレート形状を有し、水受け側面板４９４は、水受け底板４９２の外周に沿って水受け底板４９２に対して垂直に形成される。
【０２０１】
配管４９６は、水受け底板４９２の下面に貫通ホール４９３と対応する位置に配置され、配管４９６は、水受け底板４９２の下面に堅固に結合される。
【０２０２】
本発明の第４実施形態で、配管４９６は、少なくとも２個に分離され、配管４９６のうちいずれか一つは、水受け底板４９２に結合され、残りの一つは、水受け底板４９２に結合される配管４９６に嵌合などの方式で結合されていもよい。
【０２０３】
図１５は、本発明の第５実施形態による水耕栽培ブロックの分解斜視図であり、図１６は、本発明の第５実施形態による水耕栽培ブロックの縦断面図であり、図１７は、本発明の第５実施形態による水耕栽培ブロックの下部面を示す図である。
【０２０４】
図１５〜図１７を参照すると、本発明の第５実施形態による水耕栽培ブロック１５００は、ブロック胴体１２００、離脱防止板１３２０およびオーバーフロー管１３００を含む。
【０２０５】
ブロック胴体１２００は、内部に収納空間が形成され、上面が開口された立体形状に製作され得る。
【０２０６】
例えば、ブロック胴体１２００は、上面が開口された正六面体形状または上面が開口された直六面体形状に形成され得る。その他、ブロック胴体１２００は、上面が開口された五角形状、上面が開口された円錐台形状はもちろん、上面が開口された半球形状、上面が開口された円柱形状などに形成されてもよい。
【０２０７】
ブロック胴体１２００の内部に形成された収納空間には、水または培養液で生育される水生植物が提供され得、ブロック胴体１２００の内部で生育される水生植物の葉、幹および根などを観察し得るように、ブロック胴体１２００は、透明な素材で製作され得る。
【０２０８】
これとは異なって、ブロック胴体１２００は、透明性はないが、強い耐久性を有し、容易に腐食されない金属素材で製作するなど多様な素材を使用してもよい。
【０２０９】
ブロック胴体１２００は、複数個で製造された断片を相互組み立てて製作してもよく、射出工程などにより一体に製作するか、または、金属プレートをたたんで溶接して製作してもよい。
【０２１０】
ブロック胴体１２００は、内部に収納される水または培養液が漏洩しないように防水処理され得る。
【０２１１】
このようなブロック胴体１２００は、上面が開放された多数個の側面板１２０５および底板１２０９を含む六面体形状に製作され得る。
【０２１２】
例えば、ブロック胴体１２００は、４個の側面板１２０５および１個の底板１２０９を含む。ブロック胴体１２００の４個の側面板１２０５および１個の底板１２０９は、相互組み立てられるか、一体に形成され得る。
【０２１３】
各側面板１２０５には、開口１２０１がそれぞれ形成され、開口１２０１を介して水生植物がブロック胴体１２００の内部に提供または植物の一部がブロック胴体１２００の外部に排出され得る。
【０２１４】
各側面板１２０５にそれぞれ開口１２０１を形成する場合、ブロック胴体１２００の異なる方向から個別的に異なる植物をブロック胴体１２００の内部に提供することができる。
【０２１５】
開口１２０１は、側面板１２０５の上端および下端の中間部分に形成され得、開口１２０１の下端は、ブロック胴体１２００に十分な量の水または培養液が満たされるのに適した位置に形成される。
【０２１６】
なお、各側面板１２０５のうち開口１２０１の上端の両側には、それぞれ貫通ホール１２０２が形成されるが、側面板１２０５のうち相互対向する側面板１２０５に形成された貫通ホール２０２は、相互対向するように形成される。
【０２１７】
また、側面板１２０５に形成された開口１２０１の両側にそれぞれ形成される貫通ホール１２０２は、釘等を介してブロック胴体１２００を壁（ｗａｌｌ）等に固定できるようにするためである。
【０２１８】
側面板１２０５に形成された開口１２０１の両側にそれぞれ形成される貫通ホール１２０２には、連結ロープ１２０８が結合され得る。
【０２１９】
貫通ホール１２０２を相互連結する連結ロープ１２０８は、開口１２０１を横切って形成されるが、連結ロープ１２０８が開口１２０１を横切って開口１２０１の両側にそれぞれ配置された貫通ホール１２０２に結合される場合、連結ロープ１２０８は、開口１２０１に挿入された水生植物が垂れるか、水生植物が開口１２０１から離脱することを防止する。また、連結ロープ１２０８は、複数個のブロック胴体１２００を相互堅固に連結することができる。
【０２２０】
また、側面板１２０５は、内側面に位置する係止鍔１２０３が形成され得る。係止鍔１２０３は、後述する離脱防止板１３２０が上部面に保持され得る。
【０２２１】
係止鍔１２０３は、開口１２０１から下部に所定の間隔をもって離隔した状態で側面板１２０５の内側面に形成され得る。これにより、係止鍔１２０３の上部面に保持された離脱防止板１３２０は、側面板１２０５の外に遊動せずに、側面板１２０５の内部に固定され得る。
【０２２２】
このような係止鍔１２０３は、離脱防止板１３２０の形状によって位置を異ならしめて、離脱防止板１３２０を保持できるように側面板１２０５にそれぞれ形成され得る。
【０２２３】
本実施形態で係止鍔１２０３は、中心部に離脱防止板１３２０を配置できる溝が形成された凹凸形状に形成されるが、これに限定されるものではなく、直六面体、球形、円柱、三角柱など多様な形状に形成され得る。
【０２２４】
ブロック胴体１２００は、連結ロープ１２０８を電気線に変えて、電気線に電球を多数設置することによって、ブロック胴体１２００の一部または全部に照明光を提供し、審美感を向上させたり、照明として活用することができる。
【０２２５】
ブロック胴体１２００の側面板１２０５の下端には、底板１２０９が結合され得、側面板１２０５および底板１２０９により、ブロック胴体１２００の内部には、収納空間が形成される。
【０２２６】
本発明の第５実施形態で、ブロック胴体１２００の底板１２０９の外側面には、底板１２０９から突出した結合突起１２２０が形成され得る。
【０２２７】
結合突起１２２０は、底板１２０９の外周縁に沿って複数個が断続的に形成され得る。これとは異なって、結合突起１２２０は、底板１２０９の外周縁だけでなく、底板１２０９の中央に形成されてもよい。
【０２２８】
結合突起１２２０は、後述する本発明の第５実施形態による水耕栽培ブロック１５００を積層して水耕栽培装置を構成した場合、下部に位置する水耕栽培ブロックと上部に位置する水耕栽培ブロックが相互離脱することを防止する役目をすることができる。
【０２２９】
本発明の第５実施形態で、ブロック胴体１２００は、合成樹脂素材を利用する射出工程により製作することができ、これにより、ブロック胴体１２００の大量生産が可能である。
【０２３０】
オーバーフロー管１３００は、ブロック胴体１２００の底板１２０９を貫通して形成される。
【０２３１】
オーバーフロー管１３００は、少なくとも一つ、好ましくは、複数個がブロック胴体１２００の底板１２０９を貫通して形成され得る。
【０２３２】
本発明の第５実施形態で、オーバーフロー管１３００は、底板１２０９に接着剤などで結合されるか、または、底板１２０９に対して組立および分解可能に結合され得る。しかし、これに限定されるものではなく、オーバーフロー管１３００は、射出などでブロック胴体１２００と一体型に製作され得る。
【０２３３】
底板１２０９を貫通するオーバーフロー管１３００は、両端が開口され、中空のパイプ形状に形成され、オーバーフロー管１３００は、例えば、硬性のパイプまたは軟性のパイプが使用され得る。
【０２３４】
オーバーフロー管１３００は、底板１２０９に複数個がマトリックス形態に配置され得、具体的に、オーバーフロー管１３００は、底板１２０９の中央部分に複数個がマトリックス形態に配置され得る。
【０２３５】
オーバーフロー管１３００の一端部は、ブロック胴体１２００の内部に配置され、オーバーフロー管１３００の一端部と対向する他端部は、ブロック胴体１２００の外部に配置される。
【０２３６】
本実施形態でオーバーフロー管１３００は、底板１２０９の中心部に四角形を構成するように配置され得る。これにより、配置されたオーバーフロー管１３００は、結合突起１２２０の役目をし、水耕栽培ブロック１５００を壁面に平面に設置するか、または、立体で積層して構成した場合、下部に位置する水耕栽培ブロックと上部に位置する水耕栽培ブロックが相互離脱することを防止する役目をすることができる。すなわち下部に位置する水耕栽培ブロックは、ブロック胴体１２００のエッジが上部に位置する水耕栽培ブロックのオーバーフロー管１３００の間に位置して係止することによって固定され得る。
【０２３７】
オーバーフロー管１３００は、ブロック胴体１２００の内部に水または培養液が提供されるとき、水または培養液が側面板１２０５に形成された開口１２０１を介してブロック胴体１２００の外部にオーバーフローすることを防止する。
【０２３８】
本実施形態でオーバーフロー管１３００は、側面板１２０５に形成された開口１２０１の下端よりも高く形成されているが、これに限定されるものではなく、開口１２０１の下端と同一であるか、低く形成されてよい。
【０２３９】
オーバーフロー管１３００のうちブロック胴体１２００の内部に配置される前記一端部は、図１６に示されたように、側面板１２０５に形成された開口１２０１の下端よりも高い位置に配置され得る。
【０２４０】
このようにオーバーフロー管１３００の前記一端部が側面板１２０５に形成された開口１２０１の下端よりも高い位置に配置される場合、開口１２０１を介して水または培養液があふれ出すことができる。
【０２４１】
これを防止するために、オーバーフロー管１３００の側面には、斜線形状またはＶ字形状の切欠部１３１０が形成されるが、切欠部１３１０は、ブロック胴体１２００の側面板１２０５に形成された開口１２０１の下端よりも低い位置に形成される。
【０２４２】
本発明の第５実施形態で、オーバーフロー管１３００の前記一端部の開口を介してブロック胴体１２００の内部に提供された水または培養液の水位を調節する場合、オーバーフロー管１３００の前記一端部の開口が表面張力により頻繁に目詰まりし、側面板１２０５の開口１２０１を介して水または培養液があふれ出すことができるが、オーバーフロー管１３００の側面に切欠部１３１０を形成する場合、オーバーフロー管１３００の前記一端部の開口の目詰まりと関係なく、水または培養液がオーバーフロー管１３００を介してブロック胴体１２００の内部から外部に排出され得る。オーバーフロー管１３００の切欠部１３１０は、オーバーフロー管１３００を介して下側に位置する他の水耕栽培ブロック１５００に均一に培養液が分けられて流れて行くようにすることができる。
【０２４３】
本発明の第５実施形態で、切欠部１３１０は、オーバーフロー管１３００に少なくとも１６個が形成され得る。例えば、切欠部１３１０は、一対が相互同じ高さに形成または切欠部１３１０は、オーバーフロー管１３００に複数個が相互異なる高さに形成され得る。
【０２４４】
なお、離脱防止板１３２０は、側面板１２０５に形成された係止鍔１２０３の上部面に保持され、水生植物の根を押圧し、水生植物の離脱を防止する。
【０２４５】
離脱防止板１３２０は、プレート形状に形成され、オーバーフロー管１３００と関連して配置され得、オーバーフロー管１３００の間の空間に挿入されるのに適した大きさおよび形状に形成される。
【０２４６】
例えば、離脱防止板１３２０は、オーバーフロー管１３００の間に挿入されるのに適した十字形状を有するプレートであってもよい。ここで、十字形状の離脱防止板１３２０において十字を形成する二つのバーの長さは、対向する側面板１２０５に形成された係止鍔１２０３の間の距離よりも長く形成され得る。これにより、離脱防止板１３２０は、オーバーフロー管１３００の間に挿入され、係止鍔１２０３に保持され得る。
【０２４７】
たとえ本発明の第５実施形態で、離脱防止板１３２０がオーバーフロー管１３００の間に挿入されるのに適した十字形状のプレート形状であることが図示および説明されているが、これとは異なって、離脱防止板１３２０は、多様な形状に製作され得る。
【０２４８】
これにより、本発明の第５実施形態による水耕栽培ブロック１５００は、離脱防止板１３２０により安定的に収納空間に収納された植物の根の部分を押圧し、植物の離脱を防止することができる。
【０２４９】
なお、本発明の第５実施形態による水耕栽培ブロック１５００を積層して形成するとき、上部に配置された水耕栽培ブロック１５００の下部には、水耕栽培ブロック１５００が配置されなくてもよいが、この場合、上部に配置された水耕栽培ブロック１５００のオーバーフロー管１３００により落下した水または培養液が地面に落ちることができる。
【０２５０】
これを防止するために、下部に水耕栽培ブロック１５００が配置されていない場合、上部に配置された水耕栽培ブロック１５００のオーバーフロー管１３００には、図１５に示されたように、オーバーフロー管１３００を塞ぐオーバーフロー管栓１３５０をさらに含むことができる。
【０２５１】
オーバーフロー管栓１３５０は、オーバーフロー管１３００の中空に挿入される棒形状の閉鎖部１３５２と、閉鎖部１３５２をオーバーフロー管１３００の中空に挿入または分離するためのヘッド１３５４とを含むことができる。
【０２５２】
なお、本発明の第５実施形態による水耕栽培ブロック１５００は、オーバーフロー管１３００から流出する流体を外部に排出する排出ホース１３３０をさらに含むことができる。
【０２５３】
すなわち排出ホース１３３０は、本実施形態による水耕栽培ブロック１５００を積層して形成する場合、上部に配置された水耕栽培ブロック１５００から流出する流体を下部に配置された水耕栽培ブロック１５００に伝達することができる。
【０２５４】
また、本実施形態で排出ホース１３３０は、オーバーフロー管１３００の下部を囲む形態でオーバーフロー管１３００に結合されるが、これに限定されるものではなく、オーバーフロー管１３００の中空部に挿入されて結合されてもよい。
【０２５５】
このような排出ホース１３３０は、柔軟な材質のビニル、ゴムなどで形成される管形状よりなることができ、水耕栽培ブロック１５００を積層する場合、下部に当接している水耕栽培ブロック１５００に流体を伝達するか、または、必要に応じて長さを長く形成して、下部にある所望の水耕栽培ブロック１５００のうち一つに流体を伝達することができる。
【０２５６】
図１８は、本発明の第６実施形態による水耕栽培ブロックの縦断面図である。本発明の第６実施形態による水耕栽培ブロック１４００は、オーバーフロー管１３００の結合構造を除いて、図１５〜図１７に示された本発明の第５実施形態による水耕栽培ブロック１５００と実質的に同一である。したがって、同じ構成に対する重複した説明は省略することにし、同じ構成については、同じ名称および同じ参照符号を付与することにする。
【０２５７】
図１８を参照すると、ブロック胴体１２００に結合されるオーバーフロー管１３００は、第１オーバーフローユニット１３０２および第２オーバーフローユニット１３０５を含む。本発明の第６実施形態で、第１オーバーフローユニット１３０２および第２オーバーフローユニット１３０５は、硬性の合成樹脂素材またはフレキシブルな合成樹脂素材で製作され得る。
【０２５８】
第１オーバーフローユニット１３０２は、ブロック胴体１２００の底板１２０９を貫通して形成され、第１オーバーフローユニット１３０２は、パイプ形状に形成される。第１オーバーフローユニット１３０２の一部は、底板１２０９の下面から突出し、第１オーバーフローユニット１３０２の一部は、底板１２０９の上面から突出する。
【０２５９】
第２オーバーフローユニット１３０５は、ブロック胴体１２００の内側に配置され、第２オーバーフローユニット１３０５は、底板１２０９の上面から突出した第１オーバーフローユニット１３０２に結合されるパイプ形状に形成される。
【０２６０】
第１オーバーフローユニット１３０２および第２オーバーフローユニット１３０５は、相互締まりばめ形態で結合され得るが、これとは異なって、第１および第２オーバーフローユニット１３０２、１３０５は、相互ねじ形態で結合されてもよい。しかし、これに限定されるものではなく、第１および第２オーバーフローユニット１３０２、１３０５は、生産工程のコストによって一体型に形成することができる。すなわちブロック胴体１２００および第１および第２オーバーフローユニット１３０２、１３０５は、一体型に形成され得る。
【０２６１】
第１および第２オーバーフローユニット１３０２、１３０５を相互分解および組立可能に形成することによって、第１および第２オーバーフローユニット１３０２、１３０５のうちいずれか一つが破損しても、破損した部品だけを交換することができる。
【０２６２】
図１９は、本発明の第３実施形態による水耕栽培装置を示す側面図である。
【０２６３】
図１９を参照すると、水耕栽培装置１８００は、水耕栽培ブロック１５００、水槽１６００および循環ユニット１７００を含む。
【０２６４】
水耕栽培ブロック１５００は、複数個で積層され、水耕栽培ブロック１５００は、非常に多様な形態で積層され得る。
【０２６５】
例えば、水耕栽培ブロック１５００は、壁形態で積層されるか、または、中央に空いた空間が形成されるように積層されるか、壁形態で積層し、且つ、中間部分に空いた空間が形成されるように積層することができる。その他、水耕栽培ブロック１５００は、一部分が重なるように多数個を積層して、立体形態で形成するなど、多様な形態で積層可能である。
【０２６６】
また、水耕栽培ブロック１５００は、それぞれ結合突起１２２０およびオーバーフロー管１３００により相互結合される。
【０２６７】
ここで、相対的に下部に配置された水耕栽培ブロック１５００は、相対的に上部に配置された水耕栽培ブロック１５００から排出ホース１３３０を介して流体を伝達され得る。
【０２６８】
ここで、下部に配置された水耕栽培ブロック１５００は、当接している上部に配置された水耕栽培ブロック１５００でないとしても、排出ホース１３３０の長さを調節することによって、上部に配置された水耕栽培ブロック１５００のうち一つから流体を伝達され得る。
【０２６９】
水槽１６００は、積層された水耕栽培ブロック１５００の最下段に配置され、水槽１６００は、水耕栽培ブロック１５００に提供される水または培養液のような流体を貯蔵する役目をする。
【０２７０】
循環ユニット１７００は、ポンプ１７１０および供給ホース１７２０を含む。
【０２７１】
ポンプ１７１０は、水槽１６００の内部または水槽１６００の外部に配置され得、ポンプ１７１０は、水槽１６００内部の水または培養液をポンピングする。
【０２７２】
水槽１６００の内部から供給ホース１７２０を介してポンピングされた水または培養液は、水耕栽培ブロック１５００のうち最上段に配置された水耕栽培ブロック１５００に提供された後、最上段の水耕栽培ブロック１５００のオーバーフロー管１３００と排出ホースを介して下部に配置された水耕栽培ブロック１５００に順次に供給される。
【０２７３】
なお、水耕栽培装置１８００は、水耕栽培ブロック１５００の中間にオーバーフロー管を有し、側面板に開口を小さく形成するか、または、開口が形成されない水生植物の代わりに、魚類を生育できる水槽をさらに含むことができる。
を特徴とする。
【０２７４】
すなわち魚類を生育できる水槽は、水耕栽培ブロック１５００のうち少なくとも一つになり得、魚類を生育できる水槽に具備される魚の排泄物は、排出ホース１３３０を介して下部に位置する水耕栽培ブロック５００に伝達され、肥料の役目をすることができるとともに、循環する水または培養液に酸素を供給することができ、水質の改善を助けることができる。
【０２７５】
これにより、本実施形態による水耕栽培装置１８００は、植物と魚を共存するようにし、別途の水質改善のための浄化装置を具備することなく、維持管理することができる。
【０２７６】
本発明の第３実施形態による水耕栽培装置１８００は、水耕栽培をより容易で且つ清浄にし、多段で積層可能であり、特に壁面に利用されるアートウォールまたは部屋の壁に適用するか、または、立体形状に具現することができるようにし、多段で積層された各ブロックに植物を個別的に提供できる効果を有する。
【０２７７】
本発明の第３実施形態による水耕栽培装置１８００は、オーバーフロー管１３００の下部に結合され、ブロック胴体１２００からオーバーフロー管１３００を介して流出する流体を外部に排出する排出ホース１３３０を含み、多段で積層する場合、上部にある水耕栽培ブロック１５００から流出する流体を下部にある水耕栽培ブロック１５００のうち所望の水耕栽培ブロック１５００に提供することができる。
【０２７８】
これにより、水耕栽培装置１５００は、流体の流れを所望の方向に調節し、使用しない水耕栽培ブロック１５００を他の用途に使用できる。
【０２７９】
以下、本発明の第４実施形態による水耕栽培装置について説明する。
【０２８０】
なお、図２０は、本発明の第４実施形態による水耕栽培装置を示す側面図である。本発明の第４実施形態による水耕栽培装置１９００は、循環ユニット１９１０を除いて、前述した本発明の第３実施形態による水耕栽培装置１８００と実質的に同じ構成を有する。したがって、同じ構成に対する重複した説明は省略することにし、同じ構成については、同じ名称および同じ参照符号を付与することにする。
【０２８１】
図２０を参照すると、本発明の第４実施形態による水耕栽培装置１９００は、水耕栽培ブロック１５００、水槽１６００および循環ユニット１９１０を含む。
【０２８２】
ここで、本発明の第４実施形態による水耕栽培装置１９００は、複数の水耕栽培ブロック１５００が交差配列されてマトリックス形態を構成するように形成され得る。この際、循環ユニット１９１０は、水槽１６００の内部から供給ホース１９２０を介してポンピングされた水または培養液が水耕栽培ブロック１５００のうち最上段に配置された複数の水耕栽培ブロック１５００にそれぞれ提供されるようにすることができる。
【０２８３】
すなわち、供給ホース１９２０が最上段に配置された複数の水耕栽培ブロック１５００の個数に合うように枝形状に分散し、最上段に配置された複数の水耕栽培ブロック１５００のそれぞれに水または培養液を供給することができる。
【０２８４】
また、本発明の第４実施形態による水耕栽培装置１９００は、排出ホース１３３０を介して近隣に設けられる他の水耕栽培装置１９３０と連結され、一つの循環ユニット１９１０を介して複数の水耕栽培装置１９００、１９３０の運用を可能にすることができる。
【０２８５】
このように本発明の第４実施形態による水耕栽培装置１９００は、一つの循環ユニット１９１０にて排出ホース１３３０を介して所望の形態で水耕栽培装置１９００、１９３０を配置することができる。
【０２８６】
なお、本図面に開示された実施形態は、理解を助けるために特定の例を提示したものに過ぎず、本発明の範囲を限定しようとするものではない。ここに開示された実施形態以外にも、本発明の技術的思想に基づく他の変形例が実施可能であることは、本発明の属する技術分野における通常の知識を有するた者に自明である。
【図１】
0006482729.tif 000002
【図２】
0006482729.tif 000003
【図３】
0006482729.tif 000004
【図４】
0006482729.tif 000005
【図５】
0006482729.tif 000006
【図６】
0006482729.tif 000007
【図７】
0006482729.tif 000008
【図８】
0006482729.tif 000009
【図９】
0006482729.tif 000010
【図１０】
0006482729.tif 000011
【図１１】
0006482729.tif 000012
【図１２】
0006482729.tif 000013
【図１３】
0006482729.tif 000014
【図１４】
0006482729.tif 000015
【図１５】
0006482729.tif 000016
【図１６】
0006482729.tif 000017
【図１７】
0006482729.tif 000018
【図１８】
0006482729.tif 000019
【図１９】
0006482729.tif 000020
【図２０】
0006482729.tif 000021